(57)【要約】【課題】アナログ地上放送とデジタル地上放送とを受信するテレビ受信システムにおいて、デジタル地上放送の受信信号をアナログテレビ信号に変換して端末側に伝送でき、しかも、その変換のための機器を簡単に設置し、配線工事を簡単にできるようにする。【解決手段】受信アンテナ４，５，６，８にて受信された各種テレビ放送信号を同軸ケーブルを介して住宅内の複数の直列ユニット１６、１８まで伝送するシステムにおいて、末端の直列ユニット１８の一つに放送信号変換装置３０を設ける。この装置３０では、デジタルチューナ３４が、デジタル地上放送信号を選局・復調して映像及び音声信号を生成し、変調器３６が、その信号から受信信号とは異なる放送チャンネルのアナログテレビ信号を生成する。このテレビ信号は、増幅器３８を介して同軸ケーブルに送出され、受信設備２０側に設けられたチャンネルトラップ４０にて反射されて、各端末側へ伝送される。【選択図】図１
2007151066.tif 000002
【特許請求の範囲】
【請求項１】
アナログ地上放送とデジタル地上放送とを含む複数のテレビ放送信号を受信する１又は複数の受信アンテナを備え、該受信アンテナからの受信信号を伝送線を介して建造物内の複数の端末端子まで伝送するテレビ受信システムにおいて、
前記複数の端末端子の一つに、前記伝送線を介して伝送されてきた受信信号の中からデジタル地上放送のテレビ放送信号を選局・復調して映像信号及び音声信号を生成するデジタルチューナが接続されると共に、
該デジタルチューナにて生成された映像信号及び音声信号から、前記受信信号とは異なる放送チャンネルのアナログテレビ信号を生成する変調器と、
該変調器にて生成されたアナログテレビ信号を増幅して、前記複数の端末端子の一つに入力することにより、該アナログテレビ信号を前記伝送線を介して前記受信アンテナ側へと伝送させるテレビ信号増幅器と、
前記受信アンテナ側の伝送線上に設けられ、前記変調器にて生成されたアナログテレビ信号の通過を阻止して端末側に反射させる反射手段と、
を備えたことを特徴とするテレビ受信システム。
【請求項２】
前記複数の端末端子の一つには、分配器の入力端子が接続されており、前記デジタルチューナの受信信号の入力端子、及び、前記テレビ信号増幅器の出力端子は、該分配器において互いに異なる分配出力端子にそれぞれ接続されていることを特徴とする請求項１に記載のテレビ受信システム。
【請求項３】
前記受信アンテナからの受信信号を増幅して前記伝送線に送出する受信増幅器を備え、
前記反射手段は、該受信増幅器よりも端末側の伝送線上に設けられ、
前記変調器は、前記複数の端末端子の一つである第１端末端子から受信信号を取り込み、前記デジタルチューナからの映像信号及び音声信号を用いて生成したアナログテレビ信号と混合して出力するよう構成されており、
該変調器にて混合された前記アナログテレビ信号と前記受信信号との混合信号は、分配器を介して少なくとも２系統に分配され、該分配された一方の伝送信号は前記デジタルチューナに入力され、他方の伝送信号は、前記テレビ信号増幅器にて増幅された後、前記複数の端末端子の一つで前記第１端末端子とは異なる第２端末端子に入力されて、前記受信増幅器側へ伝送されることを特徴とする請求項１に記載のテレビ受信システム。
【請求項４】
前記反射手段は、トラップであることを特徴とする請求項１〜請求項３の何れかに記載のテレビ受信システム。
【請求項５】
前記反射手段の端末側には、前記受信アンテナからの受信信号及び前記反射手段にて反射されたアナログテレビ信号を複数の端末側に分岐又は分配する分岐手段又は分配手段が設けられていることを特徴とする請求項１〜請求項４の何れかに記載のテレビ受信システム。
【発明の詳細な説明】
【技術分野】
【０００１】
本発明は、アナログ地上放送とデジタル地上放送とを含む複数のテレビ放送信号を受信し、その受信信号を伝送線を介して建造物内の複数の端末端子まで伝送するテレビ受信システムに関する。
【背景技術】
【０００２】
従来より、アナログ地上放送とデジタル地上放送とを含む複数のテレビ放送信号を受信し、その受信信号を伝送線を介して建造物内の複数の端末端子まで伝送するテレビ受信システムにおいて、端末側でアナログ地上放送とデジタル地上放送とを視聴できるようにするには、各端末端子に、アナログ地上放送の受信・復調が可能なアナログチューナ（若しくはこのチューナを内蔵したテレビ受像機）に加えて、デジタル地上放送の受信・復調が可能なデジタルチューナ（若しくはこのチューナを内蔵したテレビ受像機）を接続しなければならず、端末側に設置するテレビ受信装置のコストアップを招くという問題があった。
【０００３】
そこで、こうした問題を防止するために、従来より、受信アンテナにて受信されたデジタル地上放送のテレビ放送信号を、デジタルチューナを用いて受信・復調することにより、映像信号及び音声信号を生成し、次に、この映像信号及び音声信号を変調器に入力することで、これら各信号から、受信アンテナにて受信されるテレビ放送信号とは異なる放送チャンネルのアナログテレビ信号を生成し、更に、その生成したアナログテレビ信号を他の受信信号（アナログ放送信号）と混合して、増幅器にて増幅した後、伝送線を介して端末側に伝送することが提案されている（例えば、特許文献１等参照）。
【特許文献１】特開２００３−２２４７８０号公報
【発明の開示】
【発明が解決しようとする課題】
【０００４】
しかしながら、上記提案のテレビ受信システムでは、デジタル地上放送のテレビ放送信号を、受信アンテナ直下で、アナログテレビ信号に変換して、他のテレビ放送信号（アナログ放送信号）と混合する必要があるため、端末側では、アナログチューナ（若しくはこのチューナを内蔵したテレビ受像機）を用いて、デジタル地上放送を視聴することができるものの、アナログ地上放送を受信するように構成された既存のテレビ受信システムを、上記提案のテレビ受信システムに変更するのは難しいという問題があった。
【０００５】
つまり、上記提案のテレビ受信システムでは、デジタルチューナ、変調器、混合器等を、全て、受信アンテナ付近の屋上や屋根裏等に設置しなければならず、既存のテレビ受信システムを改修して上記提案のテレビ受信システムを構築するには、その設置場所を確保したり、電源供給経路を確保するための工事を行わなければならず、場合によっては、その工事を行うことができない、といった問題があるのである。
【０００６】
また、このようにデジタルチューナや変調器を受信アンテナ付近に設置することができない場合には、例えば、図３に示すように、デジタル地上放送受信用のＵＨＦアンテナ５０と混合器５６とを、既存の受信設備付近（例えば、受信設備が固定された支柱等）に設置し、デジタルチューナ５２と変調器５４とは、テレビ受像機等が設けられる建造物内の部屋に設置することも考えられる。
【０００７】
しかし、このようにすると、ＵＨＦアンテナ５０からの受信信号をデジタルチューナ５２まで伝送する伝送線や、変調器５４にて生成されたアナログテレビ信号を混合器５６まで伝送するための伝送線を、新たに配線しなければならず、建造物の壁には、これらの伝送線をデジタルチューナ５２及び変調器５４が設置された部屋に引き込むための孔を穿設しなければならないことから、伝送線を配線するための工事が煩雑になるという問題がある。
【０００８】
本発明は、こうした問題に鑑みなされたものであり、アナログ地上放送とデジタル地上放送とを含む複数のテレビ放送信号を受信する受信アンテナを備えたテレビ受信システムにおいて、デジタル地上放送の受信信号をアナログテレビ信号に変換して各端末側に伝送することができ、しかも、その変換のための機器を、大きな工事を行うことなく簡単に設置できるようにすることを目的とする。
【課題を解決するための手段】
【０００９】
かかる目的を達成するためになされた請求項１に記載の発明は、
アナログ地上放送とデジタル地上放送とを含む複数のテレビ放送信号を受信する１又は複数の受信アンテナを備え、該受信アンテナからの受信信号を伝送線を介して建造物内の複数の端末端子まで伝送するテレビ受信システムにおいて、
前記複数の端末端子の一つに、前記伝送線を介して伝送されてきた受信信号の中からデジタル地上放送のテレビ放送信号を選局・復調して映像信号及び音声信号を生成するデジタルチューナが接続されると共に、
該デジタルチューナにて生成された映像信号及び音声信号から、前記受信信号とは異なる放送チャンネルのアナログテレビ信号を生成する変調器と、
該変調器にて生成されたアナログテレビ信号を増幅して、前記複数の端末端子の一つに入力することにより、該アナログテレビ信号を前記伝送線を介して前記受信アンテナ側へと伝送させるテレビ信号増幅器と、
前記受信アンテナ側の伝送線上に設けられ、前記変調器にて生成されたアナログテレビ信号の通過を阻止して端末側に反射させる反射手段と、
を備えたことを特徴とする。
【００１０】
また、請求項２に記載の発明は、請求項１に記載のテレビ受信システムにおいて、前記複数の端末端子の一つには、分配器の入力端子が接続されており、前記デジタルチューナの受信信号の入力端子、及び、前記テレビ信号増幅器の出力端子は、該分配器において互いに異なる分配出力端子にそれぞれ接続されていることを特徴とする。
【００１１】
また、請求項３に記載の発明は、請求項１に記載のテレビ受信システムにおいて、
前記受信アンテナからの受信信号を増幅して前記伝送線に送出する受信増幅器を備え、
前記反射手段は、該受信増幅器よりも端末側の伝送線上に設けられ、
前記変調器は、前記複数の端末端子の一つである第１端末端子から受信信号を取り込み、前記デジタルチューナからの映像信号及び音声信号を用いて生成したアナログテレビ信号と混合して出力するよう構成されており、
該変調器にて混合された前記アナログテレビ信号と前記受信信号との混合信号は、分配器を介して少なくとも２系統に分配され、該分配された一方の伝送信号は前記デジタルチューナに入力され、他方の伝送信号は、前記テレビ信号増幅器にて増幅された後、前記複数の端末端子の一つで前記第１端末端子とは異なる第２端末端子に入力されて、前記受信増幅器側へ伝送されることを特徴とする。
【００１２】
次に、請求項４に記載の発明は、請求項１〜請求項３の何れかに記載のテレビ受信システムにおいて、前記反射手段はトラップであることを特徴とする。
また、請求項５に記載の発明は、請求項１〜請求項４の何れかに記載のテレビ受信システムにおいて、前記反射手段の端末側には、前記受信アンテナからの受信信号及び前記反射手段にて反射されたアナログテレビ信号を複数の端末側に分岐又は分配する分岐手段又は分配手段が設けられていることを特徴とする。
【発明の効果】
【００１３】
請求項１に記載のテレビ受信システムにおいては、アナログ地上放送とデジタル地上放送とを含む複数のテレビ放送信号を、建造物内の複数の端末端子までそのまま伝送する。そして、このように端末側に伝送されるデジタル地上放送のテレビ放送信号は、その複数の端末端子の一つに接続されたデジタルチューナにより選局・復調されることにより、映像信号及び音声信号に変換され、更に、変調器にて、受信信号とは異なる放送チャンネルのアナログテレビ信号に変換される。
【００１４】
また、このように生成されたアナログテレビ信号は、テレビ信号増幅器にて増幅された後、複数の端末端子の一つに入力されることから、そのアナログテレビ信号は、伝送線を介して、受信アンテナ側へと伝送されることになる。
【００１５】
そして、受信アンテナ側の伝送線上には、変調器にて生成されたアナログテレビ信号の通過を阻止して端末側に反射させる反射手段が設けられていることから、伝送線を介して受信アンテナ側へと伝送されたアナログテレビ信号は、この反射手段にて反射されて、端末側へと伝送される。
【００１６】
このため、本発明のテレビ受信システムによれば、信号変換用のデジタルチューナが接続された端末端子以外の端末端子には、アナログチューナ（若しくはアナログチューナを含むテレビ受像機）を接続するだけで、アナログ地上放送とデジタル地上放送との両方を視聴できるようになる。
【００１７】
そして、本発明によれば、アナログチューナ（若しくはアナログチューナを含むテレビ受像機）を利用してアナログ地上放送とデジタル地上放送との両方を視聴できるようにするために、従来のように、デジタル地上放送のテレビ放送信号をアナログテレビ信号に変換するための装置（つまり、デジタルチューナや変調器）を、受信アンテナ付近の屋上や天井裏等に設置する必要がないことから、上述した従来のテレビ受信システムに比べて、簡単且つ低コストで実現できるようになる。
【００１８】
次に、請求項２に記載のテレビ受信システムにおいては、複数の端末端子の一つに分配器の入力端子が接続されており、デジタルチューナの受信信号の入力端子、及び、テレビ信号増幅器の出力端子は、その分配器において互いに異なる分配出力端子にそれぞれ接続されている。
【００１９】
このため、本発明によれば、伝送線を介して端末端子まで伝送されてきた受信信号をデジタルチューナに入力するのに使用する端末端子と、変調器にて生成され、第２増幅器にて増幅されたアナログテレビ信号を伝送線に入力する端末端子とを、共通にすることができる。
【００２０】
一方、請求項３に記載のテレビ受信システムは、第１端末端子と第２端末端子との２つの端末端子を利用して、デジタル地上放送のテレビ放送信号のアナログテレビ信号への変換及びその信号の伝送線への送出を行うものである。
【００２１】
そして、この請求項３に記載のテレビ受信システムでは、変調器が、第１端末端子から受信信号を取り込み、この受信信号と、デジタルチューナからの映像信号及び音声信号を用いて生成したアナログテレビ信号とを混合して、出力するよう構成されており、その混合信号は、分配器を介して少なくとも２系統に分配されて、デジタルチューナと、テレビ信号増幅器とに入力される。また、このテレビ信号増幅器にて増幅された受信信号とアナログテレビ信号との混合信号は、第２端末端子に入力され、伝送線を介して、受信アンテナ側へと伝送される。
【００２２】
この結果、受信アンテナ側へと伝送される混合信号のうち、アナログテレビ信号は、反射手段にて反射されて、各端末側へと伝送される。
従って、本発明のテレビ受信システムにおいては、デジタル地上放送のテレビ放送信号をアナログテレビ信号へ変換して、ヘッドエンド側に伝送するのに、２つの端末端子が必要になるものの、請求項１と同様の効果を得ることができる。
【００２３】
なお、本発明では、変調器にて生成されたアナログテレビ信号と受信信号との混合信号が受信アンテナ側に伝送され、そのうちの受信信号は、反射手段を通って、受信アンテナ側に伝送されることになるが、反射手段と受信アンテナとの間の伝送線上には、受信信号を増幅する受信増幅器が設けられており、反射手段を介して受信増幅器の出力端子に入力された受信信号は、受信増幅器の回路構成上、受信増幅器の入力端子から、充分減衰されて出力されるため（二端子対回路網のＳ行列のＳ１２に相当し、逆方向の透過係数とも言う）、受信信号が受信アンテナ側に戻され、受信アンテナから放射されてしまう、といったことはない。
【００２４】
また、反射手段としては、請求項４に記載のように、トラップを使用することができる。
また、受信アンテナからの受信信号や反射手段にて反射されたアナログテレビ信号をより多くの端末端子に伝送するには、請求項５に記載のように、反射手段の端末側に分岐手段又は分配手段を設けて、複数の端末端子への伝送経路を複数にするとよい。
【００２５】
そして、このようにしても、反射手段は、分岐手段や分配手段の上流側に設置されているので、全ての端末端子にアナログテレビ信号を伝送することができる。
【発明を実施するための最良の形態】
【００２６】
以下に本発明の実施形態について説明する。
図１は本発明が適用された実施形態のテレビ受信システムの構成を表す構成図である。
本実施形態のテレビ受信システムは、所謂ホーム共同受信を行うためのものであり、地上放送や衛星放送の各種テレビ放送信号を受信するために、住宅の屋根上に支柱２を介して設置された受信設備２０を備える。
【００２７】
この受信設備２０は、ＶＨＦ帯のアナログ地上放送電波を受信するＶＨＦアンテナ４と、ＵＨＦ帯のアナログ地上放送電波を受信するＵＨＦアンテナ５と、ＵＨＦ帯のデジタル地上放送電波を受信するＵＨＦアンテナ６と、放送衛星（ＢＳ）を介して配信される衛星放送電波を受信するＢＳアンテナ８と、ＵＨＦアンテナ５、６からの受信信号を混合する混合器１０と、混合器１０から出力されるＵＨＦ帯の受信信号、ＶＨＦアンテナ４から出力されるＶＨＦ帯の受信信号、及び、ＢＳアンテナ８から出力される衛星放送の受信信号（具体的にはＢＳアンテナ８のコンバータにてダウンコンバートされた中間周波信号：ＢＳ−ＩＦ信号）をそれぞれ所定レベルまで増幅し、これら各信号を混合して出力する受信増幅器１２と、から構成されている。
【００２８】
なお、本実施形態では、ＵＨＦアンテナとして、アナログ地上放送受信用のＵＨＦアンテナ５と、デジタル地上放送受信用のＵＨＦアンテナ６とが設けられているが、これは、受信点から見て、デジタル地上放送の送信局とアナログ地上放送の送信局とが異なる方向にあるためであり、ＵＨＦ帯のアナログ地上放送とデジタル地上放送とが受信点から見て同方向に位置する送信局から送信される場合には、ＵＨＦアンテナは一つでよい。
【００２９】
そして、受信増幅器１２から出力される受信信号は、伝送線である同軸ケーブルを介して、住宅内に引き込まれ、分配手段としての分配器１４にて複数系統（図では４系統）に分配された後、分岐器からなる直列ユニット１６を通って、末端の直列ユニット１８までそれぞれ伝送される。
【００３０】
この直列ユニット１６、１８は、住宅内の各部屋に設置された録画装置２２やテレビ受像機２４に受信信号を配信するための端末端子であり、本実施形態では、これらの直列ユニット１６、１８のうち、末端の直列ユニット１８の一つに、デジタル地上放送のテレビ放送信号を、受信信号に含まれるテレビ放送信号とは異なる放送チャンネルのアナログテレビ信号（ＶＨＦ帯又はＵＨＦ帯のテレビ信号）に変換して、受信設備２０側に送出する放送信号変換装置３０が接続されている。なお、直列ユニットを用いず、壁面端子へ直接接続するシステムでもよい。
【００３１】
そして、この放送信号変換装置３０は、直列ユニット１８を介して同軸ケーブルの末端に入力端子が接続された分配器（本実施形態では３分配用の分配器）３２と、この分配器３２の一つの分配出力端子に接続され、この分配器３２を介して入力される受信信号の中からデジタル地上放送を選局して、映像信号及び音声信号を復元するデジタルチューナ３４と、このデジタルチューナ３４にて復元された映像信号及び音声信号から、受信信号に含まれるテレビ放送信号とは異なる放送チャンネルのアナログテレビ信号（ＵＨＦ帯若しくはＶＨＦ帯のテレビ信号）を生成する変調器３６と、この変調器３６にて生成されたアナログテレビ信号を増幅して、分配器３２の他の分配出力端子に入力することにより、分配器３２から同軸ケーブルへとアナログテレビ信号を送出させるテレビ信号増幅器３８とから構成されている。
【００３２】
なお、分配器３２の３つの分配出力端子のうち、残りの一つには、テレビ放送を視聴するためのテレビ受像機２４が接続されている。
分配器の各分配出力端子間には端子間阻止量があるため、変調器３６にて生成され、分配出力端子に入力されたアナログテレビ信号は、各テレビ端子が接続された他の分配出力端子には直接出力することはできない。
【００３３】
そこで、本実施例では、受信増幅器１２から分配器１４に至る同軸ケーブル上には、放送信号変換装置３０から伝送されてくるアナログテレビ信号の通過を阻止して、端末側に反射させるチャンネルトラップ４０が設けられている。
【００３４】
なお、このチャンネルトラップ４０は、本発明の反射手段に相当するものであるが、反射手段としては、チャンネルトラップまたはトラップと同じ作用が得られれば、これに限定されるものではない。
【００３５】
また、このチャンネルトラップ４０は、テレビ放送信号に比べて充分周波数が低い低周波信号や直流信号を通過させる信号通過回路が内蔵されている。従って、このチャンネルトラップ４０によれば、受信設備２０として設置されている受信増幅器１２やＢＳアンテナ８、或いは図示しないＣＳアンテナを動作させるための電源電圧を通過させたり、ＣＳアンテナの動作を切り換えるための偏波切換信号や衛星切換信号等を通過させることができる。
【００３６】
また、本実施例では受信信号の分配並びに、変調器３６が出力するアナログテレビ信号を混合するために分配器３２を使用しているが、これに限定されることはなく、分配器３２に代えて分岐器を使用してもよい。この場合、分岐器の入力端子を、端末端子に接続し、分岐器の出力端子をテレビ受像機と接続し、デジタルチューナの入力端子およびテレビ信号増幅器の出力端子をそれぞれ分岐器の分岐端子に接続すればよい。このようにすれば、アナログテレビ信号の損失を低く抑えることができる。
【００３７】
また、本実施例では受信信号等の分配に分配器１４を使用したが、分岐手段としての分岐器を使用してもよい。
以上のように構成された本実施形態のテレビ受信システムにおいては、アナログ地上放送とデジタル地上放送とを含む各種テレビ放送信号が、建造物内の各部屋に設置された複数の直列ユニット１６、１８まで伝送される。
【００３８】
そして、その直列ユニット１６、１８の一つに接続された放送信号変換装置３０では、デジタルチューナ３４が、デジタル地上放送のテレビ放送信号を選局・復調することにより、そのテレビ放送の映像信号及び音声信号を生成し、変調器３６が、その映像信号及び音声信号から、受信信号とは異なる放送チャンネルのアナログテレビ信号を生成して、テレビ信号増幅器３８を介して、同軸ケーブルに送出する。
【００３９】
なお、テレビ信号増幅器３８は、前記変調器３６にて生成されたアナログテレビ信号が前記チャンネルトラップで反射され、各端末端子（換言すると直列ユニット１６、１８）に伝送された際、各端末端子において所要の信号レベルが得られるように設けてあるが、変調器３６から出力されるアナログテレビ信号の出力レベルが高く、各端末端子において所要の信号レベルが得られる場合は省略してもよい。
【００４０】
そして、このように端末側から同軸ケーブルに送出されたアナログテレビ信号は、分配器１４を通って受信設備２０側に伝送されるが、分配器１４と受信設備２０との間にはチャンネルトラップ４０が設けられていることから、アナログテレビ信号はこのチャンネルトラップ４０にて反射されて、端末側へと伝送される。
【００４１】
このため、本実施形態のテレビ受信システムによれば、放送信号変換装置３０が設けれられる直列ユニット１８以外の直列ユニット１６、１８には、アナログチューナを内蔵した録画装置２２やテレビ受像機２４を接続するだけで、アナログ地上放送とデジタル地上放送との両方を視聴できるようになる。
【００４２】
そして、本実施形態によれば、従来のように、放送信号変換用の装置（デジタルチューナや変調器）を受信アンテナ付近の屋上や天井裏等に設置する必要がないし、新たにケーブル配線工事をする必要がないため、アナログ放送受信用のテレビ受信装置を利用してアナログ地上放送とデジタル地上放送との両方を視聴し得るテレビ受信システムを、従来に比べて、簡単且つ低コストで実現できるようになる。
【００４３】
また、チャンネルトラップ４０は、前記放送信号変換装置３０から伝送されてくるアナログテレビ信号の全周波数帯域を反射するようにしても良いし、各端末端子に出力される前記放送信号変換装置３０から伝送されてくるアナログテレビ信号が受信できる範囲で一部の周波数帯域の信号を反射するようにしてもよい。すなわち、その周波数帯域はリターンロスの悪い状態を指す。
【００４４】
また、本実施形態のテレビ受信システムにおいて、デジタルチューナ３４、変調器３６、テレビ信号増幅器３８には、一般に市販されている（換言すれば特別な仕様で製造されていない）ものを使用できることから、デジタルチューナ３４や変調器３６やテレビ信号増幅器３８のコストを抑え、システムの構築に要する費用を低減できる。
【００４５】
以上、本発明の一実施形態について説明したが、本発明は上記実施形態に限定されるものではなく、本発明の要旨を逸脱しない範囲内にて、種々の態様を採ることができる。
例えば、上記実施形態では、放送信号変換装置３０による同軸ケーブルからの受信信号の取り込み、及び、アナログテレビ信号の同軸ケーブルへの送出を、一つの端末端子（直列ユニット１８）を使って行うようにするために、その端末端子（直列ユニット１８）には、分配器３２を接続するものとして説明したが、例えば、図２に例示するように、直列ユニット１８に分配器が内蔵されていて、２つの端末端子１８ａ、１８ｂが設けられているような場合には、一方の端子１８ａにデジタルチューナ３４の受信信号入力端子を接続し、他方の端子１８ｂにテレビ信号増幅器３８の出力端子を接続することにより、一方の端子１８ａを受信信号の取り込み用、他方の端子１８ｂをアナログテレビ信号送出用、として利用するようにしてもよい。
【００４６】
またこの場合、図２に例示するように、変調器３６に、アナログテレビ信号を生成する変調回路３６ａとは別に、その生成したアナログテレビ信号と外部から入力される他のテレビ放送信号とを混合して出力する混合回路３６ｂが内蔵されている場合には、直列ユニット１８の一方の端子１８ａに、変調器３６のテレビ放送信号入力端子を接続し、他方の端子１８ｂに、テレビ信号増幅器３８の出力端子を接続して、デジタルチューナ３４及びテレビ信号増幅器３８には、分配器３２を介して、変調器３６から出力される受信信号と変調器３６内で生成したアナログテレビ信号との混合信号を入力するようにしてもよい。
【００４７】
なお、放送信号変換装置３０を図２に示すように構成した場合、変調器３６から出力されるアナログテレビ信号と受信信号との混合信号が同軸ケーブルに送出され、そのうちの受信信号は、チャンネルトラップ４０を通って、受信アンテナ側に伝送されることになるが、図１に示したように、チャンネルトラップ４０と受信アンテナとの間の伝送線上に、受信信号を増幅する受信増幅器１２が設けられていれば、受信増幅器の出力端子から入力された受信信号は回路構成上、受信増幅器の入力端子には充分減衰されることから、受信信号が受信アンテナ側に戻され、周囲に放射されてしまうようなことはない。
【図面の簡単な説明】
【００４８】
【図１】実施形態のテレビ受信システムの構成を表す構成図である。
【図２】放送信号変換装置の他の構成例を表す説明図である。
【図３】テレビ受信システム及びその問題点を説明する説明図である。
【符号の説明】
【００４９】
２…支柱、４…ＶＨＦアンテナ、５，６…ＵＨＦアンテナ、８…ＢＳアンテナ、１０…混合器、１２…受信増幅器、１４…分配器、１６，１８…直列ユニット、２０…受信設備、２２…録画装置、２４…テレビ受像機、３０…放送信号変換装置、３２…分配器、３４…デジタルチューナ、３６…変調器、３６ａ…変調回路、３６ｂ…混合回路、３８…テレビ信号増幅器、４０…チャンネルトラップ。
【図１】
2007151066.tif 000003
【図２】
2007151066.tif 000004
【図３】
2007151066.tif 000005